(57)【特許請求の範囲】
【請求項１】
直線状辺部と該直線状辺部の一端部から一体延設された湾曲状辺部とをそれぞれ有する一対のフレームと、該一対のフレーム間に取外し可能に装着された複数の連結杆と、該一対のフレームの相対する内側面に設けられた複数対の凹部と、該凹部に両端部が嵌合された状態で該一対のフレーム間に取外し可能に装着された少なくとも１本の支持部材と、該一対のフレーム間にて支持部材と連結杆又は他の支持部材との間に取外し可能に装架されたシートとを備え、シートの少なくとも一端部において、該シートの幅方向に沿い複数の挿入部が形成されており、該挿入部の少なくとも一つに偏平なプレートが通され、また該挿入部の他の一つに中間部が偏平に形成された支持部材が通されていて、プレートを通した挿入部と支持部材を通した挿入部の外周回りにシートを巻き付けて該シートの長さを調節し、かかる状態で支持部材の両端部をフレームの凹部に嵌合して装着するようにして成ることを特徴とする組立式椅子。
【請求項２】
シートの両端部においてそれぞれ、該シートの幅方向に沿い複数の挿入部が形成されており、該挿入部の少なくとも一つに偏平なプレートが通され、また該挿入部の他の一つに中間部が偏平に形成された支持部材が通されていて、プレートを通した挿入部と支持部材を通した挿入部の外周回りにシートを巻き付けて該シートの長さを調節し、かかる状態で支持部材の両端部を一対のフレームの凹部に嵌合して装着するようにした請求項１記載の組立式椅子。
【請求項３】
シートの少なくとも一端部において、該シートの幅方向に沿い合計３本の挿入部が形成されており、該挿入部のうちで両外側の挿入部に偏平なプレートが通され、また該挿入部のうちで中側の挿入部に中間部が偏平に形成された支持部材が通されていて、プレートを通した挿入部と支持部材を通した挿入部の外周回りにシートを巻き付けて該シートの長さを調節し、かかる状態で支持部材の両端部を一対のフレームの凹部に嵌合して装着するようにした請求項１又は２記載の組立式椅子。
【請求項４】
シートに股ベルトと肩ベルトが取外し可能に取付けられた請求項１〜３のいずれか一つの項記載の組立式椅子。
【請求項５】
一対のフレームの直線状辺部のそれぞれに、湾曲状辺部が一体延設された一端部にて、前後方向転倒防止用のストッパが設けられた請求項１〜４のいずれか一つの項記載の組立式椅子。
【請求項６】
一対のフレームの直線状辺部のそれぞれに、左右方向転倒防止用のストッパが取外し可能に取付けられた請求項１〜５のいずれか一つの項記載の組立式椅子。
【請求項７】
一対のフレームの湾曲状辺部の相対する内側面に両端部が嵌合され且つ正面部が該湾曲状辺部よりも突出した状態で足載せ台が取外し可能に装着された請求項１〜６のいずれか一つの項記載の組立式椅子。
【請求項８】
一対のフレームの湾曲状辺部の相対する内側面に一対の条溝が開設されており、該一対の条溝にテーブルの両端部から延設された枠部材が取外し可能に摺嵌して装着された請求項１〜７のいずれか一つの項記載の組立式椅子。
【発明の詳細な説明】
【技術分野】
【０００１】  本発明は組立式椅子に関し、更に詳しくは、乳児、幼児、子供、大人等、老若男女が幅広く快適に使用することができる組立式椅子に関する。
【背景技術】
【０００２】  従来、前記のような組立式椅子として、一対のフレームと、該一対のフレーム間に取外し可能に装着された複数の連結杆と、該一対のフレーム間に取外し可能に装架された背もたれ板及び座板と、落下防止部材や転倒防止部材等の安全用部材を備えるものが提案されている（例えば特許文献１参照）。また別の組立式椅子として、一対のフレームと、該一対のフレーム間に取外し可能に装着された複数の連結杆及び枠体と、該枠体に取外し可能に装架されたシートと、落下防止部材や転倒防止部材等の安全用部材とを備えるものも提案されている（例えば特許文献２参照）。【０００３】  しかし、特許文献１のような従来の組立式椅子には、背もたれ板及び座板が木材やプラスチック等の硬質の材料で形成されているため、首や腰の座りが不充分な乳児には不向きであり、またロッキングチェアとしては使用できないという問題がある。また特許文献２のような従来の組立式椅子には、もともとが乳幼児用に作製されているため、大人には不向きであり、また複数の用途に使用できるという利点があるものの、その用途に応じて長さの異なる複数のシートを用意しなければならないという問題がある。【０００４】  特許文献１や２のような従来の組立式椅子に対して、乳児、幼児、子供、大人等、老若男女が幅広く使用することができ、しかも用途に応じてシートの長さを変えることができるため、１枚のシートを用意するだけでよいものが提案されている（特許文献３参照）。【０００５】  ところが、特許文献３のような従来の組立式椅子には、用途に応じてシートの長さを変えるとき、シートの端部に形成された筒状部に支持棒を通し、この支持棒に別の支持棒を添え、この状態で２本の支持棒がずれ動かないようにしつつそれらの外周回りにシートを巻き付け、かかる状態で２本の支持棒の両端部を揃えて一対のフレームの凹部に嵌合するという作業が必要であるため、かかる作業が誠に厄介という問題がある。
【先行技術文献】
【特許文献】
【０００６】
【特許文献１】特開２００６−６８４９８号公報
【特許文献２】特開２０１２−２０５６１６号公報
【特許文献３】国際公開ＷＯ２０１５／０１５５９０号
【発明の概要】
【発明が解決しようとする課題】
【０００７】  本発明が解決しようとする課題は、乳児、幼児、子供、大人等、老若男女が幅広く快適に使用することができる組立式椅子であって、１枚のシートを用意すればよく、しかも用途との関係で該シートの長さを簡単な作業で変えることができる組立式椅子を提供する処にある。
【課題を解決するための手段】
【０００８】  前記の課題を解決する本発明は、直線状辺部と該直線状辺部の一端部から一体延設された湾曲状辺部とをそれぞれ有する一対のフレームと、該一対のフレーム間に取外し可能に装着された複数の連結杆と、該一対のフレームの相対する内側面に設けられた複数対の凹部と、該凹部に両端部が嵌合された状態で該一対のフレーム間に取外し可能に装着された少なくとも１本の支持部材と、該一対のフレーム間にて支持部材と連結杆又は他の支持部材との間に取外し可能に装架されたシートとを備え、シートの少なくとも一端部において、該シートの幅方向に沿い複数の挿入部が形成されており、該挿入部の少なくとも一つに偏平なプレートが通され、また該挿入部の他の一つに中間部が偏平に形成された支持部材が通されていて、プレートを通した挿入部と支持部材を通した挿入部の外周回りにシートを巻き付けて該シートの長さを調節し、かかる状態で支持部材の両端部をフレームの凹部に嵌合して装着するようにして成ることを特徴とする組立式椅子に係る。【０００９】  本発明に係る組立式椅子は、直線状辺部と該直線状辺部の一端部から一体延設された湾曲状辺部とをそれぞれ有する一対のフレームと、該一対のフレーム間に取外し可能に装着された複数の連結杆と、該一対のフレームの相対する内側面に設けられた複数対の凹部と、該凹部に両端部が嵌合された状態で該一対のフレーム間に取外し可能に装着された少なくとも１本の支持部材と、該一対のフレーム間にて支持部材と連結杆又は他の支持部材との間に取外し可能に装架されたシートとを備えている。詳しくは後述するように、本発明に係る組立式椅子は、一対のフレームの直線状辺部を例えば床上に置いた状態では通常の椅子として使用することができ、また一対のフレームの湾曲状辺部を例えば床上に置いた状態ではロッキングチェアとして使用することができるようになっているのである。【００１０】  前記シートの少なくとも一端部には該シートの幅方向に沿い複数の挿入部が形成されており、該挿入部の少なくとも一つに偏平なプレートが通され、また該挿入部の他の一つに中間部が偏平に形成された支持部材が通されていて、プレートを通した挿入部と支持部材を通した挿入部の外周回りにシートを巻き付けて該シートの長さを調節し、かかる状態で支持部材の両端部をフレームの凹部に嵌合して装着するようになっている。【００１１】  連結杆の形状は任意であり、通常は断面円形、楕円形又は多角形の棒材を用いるが、プレートは偏平な形状とし、例えば比較的薄い平板状とする。支持部材は中間部がプレートと同様に偏平な形状のものとし、例えば中間部は１個所又は２個所が括れたプレートよりも厚い全体として平板状にすると共に両端部は断面楕円形又は多角形とする。一対のフレームの相対する内側面に設けられた凹部は、支持部材の両端部の形状、好ましくは更に連結杆の両端部の形状に見合う形状とする。例えば、支持部材の両端部が断面楕円形となっている場合には、凹部もかかる両端部と嵌合できるように断面楕円形とし、支持部材の両端部が断面多角形となっている場合には、凹部もかかる両端部と嵌合できるように断面多角形とする。好ましくは、連結杆の両端部の形状と凹部の形状の関係も同様とする���【００１２】  支持部材はその両端部を凹部に嵌合し、必要に応じてネジ止めするため、その長さはシートの幅方向長さよりも若干長くなっており、連結杆の長さも同様にシートの幅方向長さよりも若干長くなっているが、プレートはシートの幅方向長さと同等か、それよりも若干短くなっている。シートの少なくとも一端部に該シートの幅方向に沿い形成した複数の挿入部のうちで、支持部材を通す挿入部は筒状になっており、プレートを通す挿入部は筒状又は袋状になっている。【００１３】  シートの一端部において、該シートの幅方向に沿い形成された複数の挿入部のうちで少なくとも一つの挿入部にプレートを通し、他の一つの挿入部に支持部材を通して、プレートを通した挿入部と支持部材を通した挿入部の外周回りにシートを巻き付け、この状態で支持部材の両端部を一対のフレームの相対する凹部に嵌合すると、該支持部材はプレートと共に固定された状態になる。シートの他端部においても同様にして支持部材の両端部を凹部に嵌合して固定するか、又はシートの他端部においては連結杆を挿入部に通し、その両端部を凹部に嵌合して固定する。結果として、長さを調節したシートも固定された状態になる。【００１４】  シートの使用中に、シートに体重がかかっても、該シートの両端部における合計２本の支持部材又は１本の支持部材と１本の連結杆が一対のフレームからずれ動いたり、シートが緩むことはない。詳しくは後述するように、乳幼児が通常の椅子として使用するとき、また大人が通常の椅子として使用するとき、更には乳幼児がロッキングチェアとして使用するとき等、用途に応じて支持棒をフレームのどの位置の凹部に嵌合するかを選択でき、またシートは１枚でよく、しかもその長さを簡単に調節できる。かかるシートとしては、布製や網製のもの等を使用できるが、部分的に、例えば椅子として使用するときの座面に相当する部分に、自立性部材、例えば板材や、クッション材をシートに形成した袋状部に挿入できるようにしたもの等も使用することができる。【００１５】  本発明に係る組立式椅子では、シートの両端部においてそれぞれ、該シートの幅方向に沿い複数の挿入部を形成し、該挿入部の少なくとも一つに偏平なプレートを通し、また該挿入部の他の一つに中間部が偏平に形成された支持部材を通して、プレートを通した挿入部と支持部材を通した挿入部の外周回りにシートを巻き付けて該シートの長さを調節し、かかる状態で支持部材の両端部を一対のフレームの凹部に嵌合して装着するようにすることもできる。【００１６】  シートの端部に形成する挿入部の本数は複数、具体的に２本以上であればよいが、合計３本とするのが好ましい。この場合、両外側の挿入部に偏平なプレートを通し、中側の挿入部に中間部が偏平に形成された支持部材を通して、プレートを通した挿入部と支持部材を通した挿入部の外周回りにシートを巻き付けて該シートの長さを調節し、かかる状態で支持部材の両端部を一対のフレームの凹部に嵌合して装着する。【００１７】  本発明に係る組立式椅子においては、シートに股ベルトを、更には肩ベルトを取外し可能に取付けることが好ましい。乳幼児が本発明に係る組立式椅子を使用するとき、不用意に動いて椅子から落下する危険を���然に防止するためである。【００１８】  また本発明に係る組立式椅子においては、一対のフレームの直線状辺部のそれぞれに、湾曲状辺部が一体延設された一端部にて、前後方向転倒防止用のストッパを設けることが好ましく、更に一対のフレームの直線状辺部のそれぞれに、左右方向転倒防止用のストッパを取外し可能に取付けることが好ましい。これらのストッパにより、使用中の椅子が前後方向や左右方向へ転倒するのを未然に防止することができる。一対のフレームの湾曲状辺部の相対する内側面に、支持部材や連結杆と同様にして、足載せ台の両端部を取外し可能に装着し、このときに足載せ台の正面部が該湾曲状片部よりも正面側（前方側）に突出した状態となるようにすると、詳しくは後述するように、本発明に係る組立式椅子をロッキングチェアとして使用するとき、かかる足載せ台の正面部が転倒防止用のストッパとして機能する。【００１９】  更に本発明に係る組立式椅子においては、一対のフレームの湾曲状辺部の相対する内側面に一対の条溝を開設し、該一対の条溝にテーブルの両端部から延設されたフレームを取外し可能に摺嵌することが好ましい。飲食、特に乳幼児の飲食に誠に便利であるからである。
【発明の効果】
【００２０】  本発明に係る組立式椅子によると、背もたれ面や座面がシート、通常は布製や網製のシートで形成されているため、首や腰の座りが不充分な乳児でも使用することができ、ロッキングチェアとしても使用できる。また背もたれ面や座面を形成するシートは１枚でよく、その長さが簡単な作業で調節できる。本発明に係る組立式椅子によると、乳児、幼児、子供、大人等、老若男女が幅広く快適に使用することができるのである。
【図面の簡単な説明】
【００２１】
【図１】本発明に係る組立式椅子を例示する全体斜視図。
【図２】図１の組立式椅子においてフレームの凹部に連結杆が装着された状態を示す正面側から見た部分拡大断面図。
【図３】図１の組立式椅子においてフレームの凹部に支持部材が装着された状態を示す正面側から見た部分拡大断面図。
【図４】図１の組立式椅子に用いたシートを示す展開図。
【図５】図１の組立式椅子に用いた支持部材を示す拡大正面図。
【図６】図１の組立式椅子に用いた他の支持部材を示す拡大正面図。
【図７】図１の組立式椅子のシートの一端部において支持部材を通した挿入部とプレートを通した挿入部の外周回りにシートを巻き付ける直前の状態を示す部分拡大断面図。
【図８】図７の状態から支持部材を通した挿入部とプレートを通した挿入部の外周回りにシートを巻き付けた後の状態を示す部分拡大断面図。
【図９】本発明に係る他の組立式椅子のシートの一端部において支持部材を通した挿入部とプレートを通した挿入部の外周回りにシートを巻き付ける直前の状態を示す部分拡大断面図。
【図１０】図９の状態から支持部材を通した挿入部とプレートを通した挿入部の外周回りにシートを巻き付けた後の状態を示す部分拡大断面図。
【図１１】図１の組立式椅子においてフレームの直線状辺部に取付けた左右方向転倒防止用のストッパを示す部分拡大斜視図。
【図１２】図１の組立式椅子においてテーブルを示す拡大平面図。
【図１３】図１０のテーブルの枠部材をフレームの条溝に差し込んだ状態を示す部分拡大断面図。
【図１４】図１の組立式椅子において足載せ台を示す拡大断面図。
【図１５】図１の組立式椅子の他の使用状態を例示する全体斜視図。
【図１６】図１の組立式椅子の更に他の使用状態を例示する全体斜視図。
【図１７】図１の組立式椅子を示す部分拡大底面図。
【実施例】
【００２２】  図１は本発明に係る組立式椅子を例示する全体斜視図である。図１に例示した組立式椅子は、一対のフレーム１１，１２の直線状辺部１１ａ，１２ａを床上に置き、主に乳幼児用の通常の椅子として使用する場合を例示している。図１に例示した組立式椅子は、直線状辺部１１ａ，１２ａと直線状辺部１１ａ，１２ａの一端部から一体延設された湾曲状辺部１１ｂ，１２ｂとをそれぞれ有する一対のフレーム１１，１２と、一対のフレーム１１，１２の間に取外し可能に装着された複数の連結杆２１〜２３と、一対のフレーム１１，１２の相対する内側面に設けられた複数対の凹部３１，３１・・と、凹部３１，３１・・に両端部が嵌合された支持棒４１，４２と、一対のフレーム１１，１２間にて一方の支持棒４１と他方の支持棒４２との間に取外し可能に装架されたシート５１とを備えている。【００２３】  シート５１の一端部（上端部）にはシート５１の幅方向に沿い合計３本の挿入部６１〜６３が横方向に並列で形成されており、挿入部６１，６２は袋状に形成され、挿入部６３は筒状に形成されていて、両外側の挿入部６１，６２には偏平なプレート４１ａ，４１ｂが通され、中側の挿入部６３には支持部材４１が通されている。シート５１の一端部では、プレート４１ａ，４１ｂを通した挿入部６１，６２と支持部材４１を通した挿入部６３の外周回りにシート５１を巻き付けてシート５１の長さを調節し、かかる状態で支持部材４１の両端部を一対のフレーム１１，１２の凹部３１，３１に嵌合している。説明を省略するがシート５１の他端部（下端部）も同様の構成になっている。【００２４】  図１に例示した本発明に係る組立式椅子には、シート５１のほぼ中央部に股ベルト７１と肩ベルト７２が取外し可能に取付けられている。また一対のフレーム１１，１２の直線状辺部１１ａ，１２ａのそれぞれに、湾曲状辺部１１ｂ，１２ｂが一体延設された一端部にて、前後方向転倒防止用の爪状のストッパ８１ａ，８２ａが前方に突設されている。更に一対のフレーム１１，１２の直線状辺部１１ａ，１２ａのそれぞれ両端部に左右方向転倒防止用のストッパ８１ｂ，８１ｃ，８２ｂ，８２ｃが取外し可能に取付けられている。更にまた一対のフレーム１１，１２の相対する内側面に一対の条溝１１ｃ，１２ｃが開設されており、一対の条溝１１ｃ，１２ｃにテーブル７３の両端部から延設された枠部材７３ａ，７３ｂが取外し可能に摺嵌されている。そして一対のフレーム１１，１２の凹部３１，３１には足載せ台７４の両端部が嵌合されており、足載せ台７４の正面部７４ａは一対のフレーム１１，１２の湾曲状辺部１１ｂ，１２ｂよりも正面側（前方側）に突出している。【００２５】  図２は図１の組立式椅子においてフレームに連結杆が装着された状態を示す正面側から見た部分拡大断面図である。連結杆２３の一端部の断面及びフレーム１１の湾曲状辺部１１ｂの内側面に設けられた凹部３１の断面は共に偏平な楕円形状に形成されており、連結杆２３の一端部が湾曲状辺部１１ｂの凹部３１に嵌合されている。湾曲状辺部１１ｂには凹部３１を臨んで孔９１ａ穿設されており、連結杆２３の一端部の中央軸線部にはネジ溝２３ａが設けられていて、ネジ９１を孔９１ａを通してネジ溝２���ａに螺合し、締め付けることにより、連結杆２３の一端部を湾曲状辺部１１ｂの凹部３１に取外し可能に装着している。説明を省略するが、連結杆２３の他端部と湾曲状辺部１２ｂの凹部３１との関係も同様になっており、これらの関係は他の連結杆２１，２２についても同様になっている。【００２６】  図３は図１の組立式椅子においてフレームに支持部材が装着された状態を示す正面側から見た部分拡大断面図である。支持部材４１の一端部の断面及びフレーム１１の湾曲状辺部１１ｂの内側面に設けられた凹部３１の断面は共に偏平な楕円形状に形成されており、支持部材４１の一端部が湾曲状辺部１１ｂの凹部３１に嵌合されている。湾曲状辺部１１ｂには凹部３１を臨んで孔９２ａが穿設されており、支持部材４１の一端部の中央軸線部にはネジ溝４１ｄが設けられていて、図示しないネジを孔９２ａを通してネジ溝４１ｄに螺合し、締め付けることができるようになっているが、図面の場合には前記のように嵌合するだけで支持部材４１の一端部を湾曲状辺部１１ｂの凹部３１に取外し可能に装着している。説明を省略するが、支持部材４１の他端部と湾曲状辺部１２ｂの凹部３１との関係も同様になっており、これらの関係は他の支持部材４２についても同様になっている。【００２７】  図４は図１の組立式椅子に用いたシートを示す展開図であり、図５及び図６は図１の組立式椅子に用いた支持部材を示す拡大正面図である。シート５１は全体として長方形に形成されており、長さ方向の両端部にそれぞれ、詳しくは後述するように、幅方向に沿い合計３本の挿入部が形成されていて、中間部が２重の袋状になっており、座面用のクッション板５１ａや図示しない背もたれ用のクッション板を収納できるようになっている。支持部材４１はシート５１の一端部（上端部）の挿入部に通されるもので、中間部が緩やかに括れた全体としては偏平な形状になっており、両端部にフレーム１１，１２の凹部３１，３１・・と嵌合する断面楕円形の突出部が形成されている。また支持部材４２はシート５１の他端部（下端部）の挿入部に通されるもので、中間部が２個所で緩やかに括れた全体としては偏平な形状になっており、両端部にフレーム１１，１２の凹部３１，３１・・と嵌合する断面楕円形の突出部が形成されている。【００２８】  図７は図１の組立式椅子のシートの一端部において支持部材を通した挿入部とプレートを通した挿入部の外周回りにシートを巻き付ける直前の状態を示す部分拡大断面図であり、また図８は図７の状態から支持部材を通した挿入部とプレートを通した挿入部の外周回りにシートを巻き付けた後の状態を示す部分拡大断面図である。図７において、シート５１の一端部（上端部）にはシート５１の幅方向に沿い合計３本の挿入部６１〜６３が横方向に並列で形成されており、挿入部６１，６２は袋状に形成され、挿入部６３は筒状に形成されていて、両外側の挿入部６１，６２には偏平なプレート４１ａ，４１ｂが通され、中側の挿入部６３には支持部材４１が通されている。図８において、シート５１の一端部では、プレート４１ａ，４１ｂを通した挿入部６１，６２と支持部材４１を通した挿入部６３の外周回りにシート５１を巻き付けてシート５１の長さを調節し、かかる���態で支持部材４１の両端部を一対のフレーム１１，１２の凹部３１，３１に嵌合する。説明を省略するがシート５１の他端部（下端部）も、支持部材４１が支持部材４２に代わっているだけで、同様の構成になっている。【００２９】  実際の手順では例えば、連結杆２３のネジ９１，９２（但し、ネジ９２は図示しない、以下同じ）を緩め、凹部３１，３１・・から支持部材４１を取外して、支持部材４１を通した挿入部６３及びプレート４１ａ，４１ｂを通した挿入部６１，６２の外周回りに図７及び図８について前記した手順でシート５１の端部を巻き付けてその長さを調節し、再び支持棒４１の両端部を適宜に選択した凹部３１，３１・・にあてがった状態でネジ９１，９２を締め付けて、支持棒４１の両端部を凹部３１，３１・・に嵌合し、長さを調節したシート５１を一方の支持棒４１と他方の支持棒４２との間に取外し可能に装架する。【００３０】  図９は他の組立式椅子のシートの一端部において支持部材を通した挿入部とプレートを通した挿入部の外周回りにシートを巻き付ける直前の状態を示す部分拡大断面図であり、また図１０は図９の状態から支持部材を通した挿入部とプレートを通した挿入部の外周回りにシートを巻き付けた後の状態を示す部分拡大断面図である。図９において、シート５２の一端部（上端部）にはシート５２の幅方向に沿い合計２本の挿入部６４，６５が縦方向に並列で形成されており、挿入部６４は袋状に形成され、挿入部６５は筒状に形成されていて、外側の挿入部６４には偏平なプレート４１ｃが通され、中側の挿入部６５には支持部材４３が通されている。図１０において、シート５２の一端部では、プレート４１ｃを通した挿入部６４と支持部材４３を通した挿入部６５の外周回りにシート５２を巻き付けてシート５２の長さを調節し、かかる状態で支持部材５３の両端部を一対のフレームの凹部に嵌合する。【００３１】  図１１は図１の組立式椅子においてフレームの直線状辺部に取付けた左右方向転倒防止用のストッパを示す部分拡大斜視図である。ストッパ８１ｂは半球体の中央部に条溝を有する形状になっており、この条溝にフレーム１１の直線状辺部１１ａが差し込まれている。説明を省略する他のストッパ８１ｃ，８２ｂ，８２ｃも同様になっていて、これらのストッパ８１ｂ，８１ｃ，８２ｂ，８２ｃで、使用中に組立式椅子が左右方向に転倒するのを未然に防止している。ストッパ８１ａ，８２ａは、前記したように爪状になっており、一対のフレーム１１，１２の直線状辺部１１ａ，１２ａから湾曲状辺部１１ｂ，１２ｂが一体延設される一端部にて前方に突設されていて、使用中に組立式椅子が前後方向に転倒するのを未然に防止している。また足載せ台７４の正面側（前方側）に突出した正面部７４ａは、詳しくは後述するように、組立式椅子をロッキングチェアとして使用するとき、ロッキングチェアが前後方向へ転倒し過ぎないようにするストッパとして機能する。【００３２】  図１２は図１の組立式椅子においてテーブルを示す拡大平面図であり、また図１３は図１２のテーブルの枠部材をフレームの条溝に摺嵌した状態を示す部分拡大断面図である。テーブル７３は中央の載置台とその枠部材７３ａ，７３ｂとを備え、枠部材７３ａ，��３ｂの端部は載置台から後方に延設されている。一対のフレーム１１，１２の湾曲状辺部１１ｂ，１２ｂの相対する内側面には枠部材７３ａ，７３ｂに相応する条溝１１ｃ，１２ｃが設けられており、湾曲状辺部１１ｂ，１２ｂにはかかる条溝１１ｃ，１２ｃを臨んでスリット７３ｅ，７３ｆが穿設されている。枠部材７３ａ，７３ｂにはネジ溝７３ｇ，７３ｈが施されている。枠部材７３ａ，７３ｂを条溝に差し込み、ネジ７３ｃ，７３ｄをスリットを通してネジ溝７３ｇ，７３ｈに螺合し、締め付けることにより、テーブル７３を一対のフレーム１１，１２の湾曲状辺部１１ｂ，１２ｂに取外し可能に取付ける。【００３３】  図１５は図１の組立式椅子の他の使用状態を例示する全体斜視図である。図１５に例示した組立式椅子は、図１の組立式椅子と同様、一対のフレーム１１，１２の直線状辺部１１ａ，１２ａを床上に置き、通常の椅子として使用する場合を例示しているが、シート５１の長さを図１の場合よりも長く調節すると共に、支持棒４２の両端部と嵌合する凹部３１，３１の位置を図１の場合よりも低くし、また股ベルト６１及びテーブル８１を取外して、主に大人用の通常の椅子として使用する場合を例示している。【００３４】  図１６は図１の組立式椅子の更に他の使用状態を例示する全体斜視図である。図１６に例示した組立式椅子は、図１や図１５の組立式椅子とは異なり、一対のフレーム１１，１２の湾曲状辺部１１ｂ，１２ｂを床上に置き、主に乳幼児用のロッキングチェアとして使用する場合を例示している。図１６の組立式椅子では、シート５１の長さを図１や図１５の場合よりも長く調節すると共に、テーブル７３を取外していて、足載せ台７４の湾曲状辺部１１ｂ，１２ｂよりも突出した正面部（図１６では下面部）７４ａが、ロッキングチェアが前後方向へ転倒し過ぎないようにするストッパとして機能している。【００３５】  図１７は図１の組立式椅子を示す部分拡大底面図である。フレーム１１の直線状辺部１１ａの底面に全体として直方形の凹部９３が形成されており、凹部９３に全体として直方形の弾性体９４が嵌合されている。弾性体９４には、２個所にやや大きめの空洞部９５，９６を有するＬ形の条溝９７が形成されており、条溝９７にネジ９１用の六角レンチ９８が嵌め込まれている。組立式椅子の組立や解体に必要な道具、この場合は六角レンチが紛失するのを防止するためである。
【符号の説明】
【００３６】  １１，１２                      フレーム  １１ａ，１２ａ                  直線状辺部  １１ｂ，１２ｂ                  湾曲状辺部  ２１〜２４                      連結杆  ３１                            凹部  ４１，４２                      支持棒  ４１ａ〜４１ｃ                  プレート  ５１                            シート  ７１                            股ベルト  ７２                            肩ベルト  ７３                            テーブル  ８１ａ〜８１ｃ，８２ａ〜８２ｃ  ストッパ
【要約】  乳児、幼児、子供、大人等、老若男女が幅広く快適に使用することができる組立式椅子であって、１枚のシート（５１）を用意すればよく、しかも用途との関係で該シート（５１）の長さを簡単な作業で変えることができる組立式椅子を提供する。直線状辺部（１１ａ、１２ａ）と該直線状辺部（１１ａ、１２ａ）の一端部から一体延設された湾曲状辺部（１１ｂ、１２ｂ）とをそれぞれ有する一対のフレーム（１１、１２）と、該一対のフレーム（１１、１２）間に取外し可能に装着された複数の連結杆（２１−２３）と、該一対のフレーム（１１、１２）の相対する内側面に設けられた複数対の凹部（３１）と、該凹部（３１）に両端部が嵌合された状態で該一対のフレーム（１１、１２）間に取外し可能に装着された少なくとも１本の支持部材（４１）と、該一対のフレーム（１１、１２）間にて支持部材（４１）と連結杆（２１−２３）又は他の支持部材（４２）との間に取外し可能に装架されたシート（５１）とを備え、シート（５１）の少なくとも一端部において、該シート（５１）の幅方向に沿い複数の挿入部（６１−６３）が形成されており、該挿入部（６１−６３）の少なくとも一つに偏平なプレート（４１ａ）が通され、また該挿入部（６１−６３）の他の一つに中間部が偏平に形成された支持部材（４２）が通されていて、プレート（４１ａ）を通した挿入部（６１）と支持部材（４１）を通した挿入部（６３）の外周回りにシート（５１）を巻き付けて該シート（５１）の長さを調節し、かかる状態で支持部材（４１、４２）の両端部をフレーム（１１、１２）の凹部（３１）に嵌合して装着するようにした。【図１】
0005832712.tif 000002
【図２】
0005832712.tif 000003
【図３】
0005832712.tif 000004
【図４】
0005832712.tif 000005
【図５】
0005832712.tif 000006
【図６】
0005832712.tif 000007
【図７】
0005832712.tif 000008
【図８】
0005832712.tif 000009
【図９】
0005832712.tif 000010
【図１０】
0005832712.tif 000011
【図１１】
0005832712.tif 000012
【図１２】
0005832712.tif 000013
【図１３】
0005832712.tif 000014
【図１４】
0005832712.tif 000015
【図１５】
0005832712.tif 000016
【図１６】
0005832712.tif 000017
【図１７】
0005832712.tif 000018